(57)【要約】  携帯電話機それぞれに対応する電話機情報メモリを具備し、この電話機情報メモリに含まれる携帯電話機ＩＤ番号メモリ、電話番号メモリ、電話機名称メモリの記憶内容を参照しながら制御フラグ又は通話中フラグを設定することにより、通常の携帯電話機の表示画面を見ながら簡単な操作をすることにより、又は通常の発呼又は着呼操作をすることにより同一の電話番号を割当てられた複数の携帯電話機を切り換えて使用することが可能な携帯電話機交換サーバを提供する。
2008075437.tif 000002
【特許請求の範囲】
【請求項１】
複数の携帯電話機に１つの電話番号を割り当てて、その内の１つが稼動状態でありその他が休止状態であることを表す制御フラグを記憶する電話機情報データベースと、
接続される携帯電話機からの発呼を受け、更に該携帯電話機に着呼させる交換機能と、
前記電話機情報データベースの制御フラグが稼動状態を表す携帯電話機の前記交換機能による発呼及び着呼を許可し、前記制御フラグが休止状態を表す前記携帯電話機の前記交換機能による発呼及び着呼を禁止する制御機能と
を備えることを特徴とする携帯電話交換サーバ。
【請求項２】
１つの電話番号が割り当てられている複数の携帯電話機の内の１つを選択するための電話機選択画面を記憶する電話機選択画面データメモリを更に備え、
前記制御機能は、携帯電話機の要求に応じて前記電話機選択画面データメモリから携帯電話機選択画面データを読み出して該携帯電話機に送出し、該携帯電話機が指定する１つの携帯電話機に対応する前記制御フラグを稼動状態を表すものとし、該携帯電話機と同一の電話番号である他のすべての携帯電話機に対応する制御フラグを休止状態を表すものにすることを特徴とする請求項１記載の携帯電話交換サーバ。
【請求項３】
前記制御機能は、携帯電話機からの発呼要求に応じて該携帯電話機に対応する前記制御フラグを稼動状態を表すものとし、該携帯電話機と同一の電話番号である他のすべての携帯電話機に対応する制御フラグを休止状態を表すものとすることを特徴とする請求項１記載の携帯電話交換サーバ。
【請求項４】
前記交換機能は、複数の携帯電話機に割り当てられた１つの電話番号の着呼要求を受けた場合、該電話番号のすべての携帯電話機を呼び出し、
前記制御機能は、前記呼び出しに最初に応答した携帯電話機に対応する前記制御フラグを稼動状態を表すものとし、該携帯電話機と同一の電話番号である他のすべての携帯電話機に対応する制御フラグを休止状態を表すものとすることを特徴とする請求項１又は３記載の携帯電話交換サーバ。
【発明の詳細な説明】
【技術分野】
【０００１】
本発明は、複数台の携帯電話機を同一の電話番号で使用することができる携帯電話交換サーバに関する。
【背景技術】
【０００２】
複数台の携帯電話機を用途に応じて切り換えて使い分けるニーズがある。【０００３】
このニーズに応えるため、携帯電話機にいわゆるＳＩＭ（Subscriber Identity Module）カード（又はＵＩＭ（User Identity Module）カード）と呼ばれるＩＣ（Integrated Circuit）カードを挿入し、必要に応じてこのカードを差し換えて使用することにより複数台の携帯電話機を用途に応じて使い分けることができる技術が知られている。【０００４】
ＳＩＭカードには、ＩＭＳＩ（International Mobile Subscriber Identity）と呼ばれる固有の番号が付与されており、これと電話番号を結びつけて記憶してあるので複数の携帯電話機でこのＳＩＭカードを抜き差し使用することにより、同一の電話番号をこれら複数の携帯電話機で使用することができる（例えば、特許文献１参照。）。
【特許文献１】特開２００２−３４４６２０号公報
【発明の開示】
【発明が解決しようとする課題】
【０００５】
しかし、ＳＩＭカードは小さくて紛失しやすく、また華奢な構造なので壊れやすいなど安全な保管や持ち運びが難しい。【０００６】
また、記憶データ保護のために抜き差しの前に確実にＳＩＭカードの電源を切らねばならないので、多くの携帯電話機では電池を取り外さないとＳＩＭカードの抜き差しができないような構造になっているなどその操作が頻繁で、頻繁に抜き差しするには不便である。【０００７】
本発明は、上記問題点に鑑み、簡単な操作又は操作を全く必要とせずに複数台の携帯電話機を同一の電話番号で切り換え使用することができる携帯電話交換サーバを提供することを目的とする。
【課題を解決するための手段】
【０００８】
上記目的を達成するため、請求項１に記載した本発明の携帯電話交換サーバは、複数の携帯電話機に１つの電話番号を割り当てて、その内の１つが稼動状態でありその他が休止状態であることを表す制御フラグを記憶する電話機情報データベースと、接続される携帯電話機からの発呼を受け、更に該携帯電話機に着呼させる交換機能と、前記電話機情報データベースの制御フラグが稼動状態を表す携帯電話機の前記交換機能による発呼及び着呼を許可し、前記制御フラグが休止状態を表す前記携帯電話機の前記交換機能による発呼及び着呼を禁止する制御機能とを備えることを特徴とする。【０００９】
また、請求項２に記載した本発明の携帯電話交換サーバは、１つの電話番号が割り当てられている複数の携帯電話機の内の１つを選択するための電話機選択画面を記憶する電話機選択画面データメモリを更に備え、前記制御機能は、携帯電話機の要求に応じて前記電話機選択画面データメモリから携帯電話機選択画面データを読み出して該携帯電話機に送出し、該携帯電話機が指定する１つの携帯電話機に対応する前記制御フラグを稼動状態を表すものとし、該携帯電話機と同一の電話番号である他のすべての携帯電話機に対応する制御フラグを休止状態を表すものにすることを特徴とする。【００１０】
また、請求項３に記載した本発明の携帯電話交換サーバは、前記制御機能は、携帯電話機からの発呼要求に応じて該携帯電話機に対応する前記制御フラグを稼動状態を表すものとし、該携帯電話機と同一の電話番号である他のすべての携帯電話機に対応する制御フラグを休止状態を表すものとすることを特徴とする。【００１１】
また、請求項４に記載した本発明の携帯電話交換サーバは、前記交換機能は、複数の携帯電話機に割り当てられた１つの電話番号の着呼要求を受けた場合、該電話番号のすべての携帯電話機を呼び出し、前記制御機能は、前記呼び出しに最初に応答した携帯電話機に対応する前記制御フラグを稼動状態を表すものとし、該携帯電話機と同一の電話番号である他のすべての携帯電話機に対応する制御フラグを休止状態を表すものとすることを特徴とする。
【発明の効果】
【００１２】
請求項１に記載した本発明による携帯電話交換サーバによれば、小さくて紛失しやすく、また華奢な構造なので壊れやすいなどにより安全な保管や持ち運びが難しいＳＩＭカードを煩雑な操作で差し換えなくても同一の電話番号を割当てられた複数の携帯電話機を切り換えて使用することができる。【００１３】
請求項２に記載した本発明による携帯電話交換サーバによれば、携帯電話機の表示画面を見ながら選択するという簡単な操作により同一の電話番号を割当てられた複数の携帯電話機の中から好みの一台を選択し、切り換えて使用することができる。【００１４】
請求項３に記載した本発明による携帯電話交換サーバによれば、通常の発呼操作をすることにより、特別な操作を必要とせずに自動的に切り換えて使用することができる。【００１５】
請求項４に記載した本発明による携帯電話交換サーバによれば、着呼ベル音に対応した通常の着呼操作をすることにより、同一の電話番号を割当てられた複数の携帯電話機を特別な操作を必要とせずに自動的に切り換えて使用することができる。
【図面の簡単な説明】
【００１６】
【図１】図１は、本発明による携帯電話交換サーバの構成図である。
【図２】図２は、電話機情報データベースの構成図である。
【図３】図３は、制御フラグ設定フローチャートである。
【図４】図４は、電話機選択画面例である。
【符号の説明】
【００１７】
１    携帯電話交換サーバ
１１  制御機能
１２  交換機能
１３  電話機情報データベース
１４  電話機選択画面データメモリ
【発明を実施するための最良の形態】
【００１８】
以下、添付図面を参照しながら本発明を実施するための最良の形態について詳細に説明する。
【実施例１】
【００１９】
図１は、本発明の一実施例による携帯電話交換サーバ１の構成図である。本実施例による携帯電話交換サーバ１は制御機能１１、交換機能１２、電話機情報データベース１３、及び電話機選択画面データメモリ１４で構成される。携帯電話交換サーバ１は交換機能１２により公衆電話網に接続されていると共に、制御機能１１は基地局２を介して複数の携帯電話機３１〜３３と通信し、携帯電話機３１〜３３と公衆回線を接続するための制御を行う。上記で、基地局２、携帯電話機３１〜３３は通常の基地局及び携帯電話機であり、本発明の一部分ではないが、本発明の実施例の説明を容易にするために図中に示してある。【００２０】
以下、この携帯電話交換サーバ１の動作を、図２〜図４を用いて詳細に説明する。【００２１】
図２は、携帯電話交換サーバ１に含まれる電話機情報データベース１３の構成を模式的に示した構成図であり、それぞれの携帯電話機３１、３１、３３に対応した電話機情報データが電話機情報メモリ１３１Ｔ、１３２Ｔ，１３３Ｔに蓄積されている。【００２２】
電話機情報メモリ１３１Ｔは、携帯電話機３１に固有の携帯電話機ＩＤ番号を記憶した携帯電話機ＩＤ番号メモリ１３１Ｍ、携帯電話機使用者に割当てられた電話番号を記憶した電話番号メモリ１３１Ｄ、携帯電話機３１の型式名などの電話機名称を記憶した電話機名称メモリ１３１Ａ、携帯電話機３１が稼動状態であるか休止状態であるかを示す制御フラグを記憶した制御フラグメモリ１３１Ｇ、携帯電話機３１が通話状態であるか非通話状態であるかを示す通話中フラグを記憶した通話中フラグメモリ１３１Ｗからなる構成である。この構成は、電話機情報メモリ１３２Ｔ、１３３Ｔについても同様で、図２に示したとおりである。【００２３】
携帯電話機３１、３２、３３は必要に応じて基地局２を介して携帯電話交換サーバ１と通信することができるが、それぞれの制御フラグメモリ１３１Ｇ、１３２Ｇ、１３３Ｇの記憶内容が稼動状態を示している場合にだけ公衆回線への接続を許可され、休止状態を示している場合は公衆回線への接続が禁止される。【００２４】
図３は、制御機能１１の制御フラグ設定手順を説明するためのフローチャートであり、図４は、携帯電話機３１〜３３の表示画面に表示される電話機選択画面例である。以下、携帯電話機３１と携帯電話機３２には同一の電話番号Ｙが割り当てられており、携帯電話機３３には異なる電話番号Ｚが割り当てられている例について図３の制御フラグ設定フローチャートの手順を説明する。【００２５】
制御フラグメモリ１３１Ｇの記憶内容が稼動状態を、制御フラグメモリ１３２Ｇの記憶内容が休止状態を示しているとする。この場合、携帯電話機３１は公衆回線への発呼及び着呼を行うことができるが、携帯電話機３２は公衆回線への発呼及び着呼が禁止されている。すなわち、携帯電話使用者は、携帯電話機３１を使用して通話をすることができるが、携帯電話機３２を使用して通話することができない。【００２６】
使用者が携帯電話機３２に切り換えて通話したい場合、携帯電話機３１のインターネット閲覧機能を使用して携帯電話交換サーバ１を呼び出し、手順を開始する。制御機能１１は、携帯電話機ＩＤ番号抽出ステップＳ１により呼び出した携帯電話機３１からの通信内容に含まれている携帯電話機ＩＤ番号メモリ１３１Ｍの記憶内容を抽出し、電話機選択画面送出ステップＳ２により電話機選択画面データを携帯電話機３１に送出する。その結果、携帯電話機３１の表示画面に図４中の説明文４１が表示されるので、使用者は上記手順が開始したことを知ることができる。【００２７】
電話機情報データベース検索ステップＳ３は、電話機情報データベース１３内を検索して先に抽出した内容と電話機情報メモリ１３１Ｔにある携帯電話機ＩＤ番号メモリ１３１Ｍの記憶内容と一致することから、これが携帯電話機３１からの通信であることを検出するとともに、電話番号メモリ１３１Ｄの記憶内容から携帯電話機３１には電話番号Ｙが割当てられていることを検知する。次いで、制御機能１１はすべての電話番号メモリ１３２Ｄ、１３３Ｄの記憶内容を探索して、上記で検知した電話番号Ｙを記憶内容に持つのは電話番号メモリ１３２Ｄだけであることを検出する。上記手順により、携帯電話機３１と同一の電話番号を有する該当電話機が携帯電話機３１自体と携帯電話機３２の２台だけであることが検知される。【００２８】
該当携帯電話機名通知ステップＳ４は、上記手順で検出した同一の電話番号を有するすべての電話機の電話機情報メモリ１３１Ｔ、１３２Ｔの電話機名称メモリ１３１Ａ、１３２Ａの記憶内容及び制御フラグメモリ１３１Ｇ、１３２Ｇの記憶内容をインターネットの閲覧機能を介して携帯電話機３１の表示画面に図４に例示すように表示する。その結果、携帯電話機３１の表示画面には同一の電話番号を付加されたすべての該当電話機名称が表示される。図４の例では、(1)携帯電話機３１と(2)携帯電話機３２の２台がそれぞれボタン４２、ボタン４３として表示されている。この表示画面で稼動状態にある携帯電話機のボタンを他の休止状態にある携帯電話機のボタンとは異なる態様で表示することによって、各携帯電話機が稼動状態にあるか、休止状態にあるかを確認することができる。【００２９】
この表示画面を見た使用者が不図示の操作により(2)携帯電話機３２を示すボタン４３を選択すると、この操作結果はインターネット閲覧機能を介して制御機能１１に伝えられ、選択結果受信ステップＳ５がこれを認識する。【００３０】
制御フラグ設定ステップＳ６は、上記認識結果に基づいて電話機情報メモリ１３２Ｔの制御フラグメモリ１３２Ｇの記憶内容を休止状態から稼動状態に切り換え設定すると共に、同一の電話番号Ｙを有する他のすべての電話機情報データである電話機情報メモリ１３１Ｔの制御フラグメモリ１３１Ｇの記憶内容を休止状態に設定する。これらの設定結果は電話機選択画面データに反映された上で電話機選択画面更新送出ステップＳ７で携帯電話機３１に伝えられ、図４の表示画面が変化する。その結果、使用者は(1)携帯電話機３１の代わりに(2)携帯電話機３２が稼動状態となったことを確認することができる。【００３１】
上記の説明で、稼働中の携帯電話機３１を用いて稼動すべき電話機を選択する場合について説明したが、同様の操作を休止中の携帯電話機３２からも制御通信として行うことが可能である。ただし、通話中フラグメモリ１３１Ｗ、１３２Ｗの記憶内容が通話中を示している間は、通話品質の確保及び制御機能１１の制御動作の煩雑さによる誤動作を防止するために制御機能１１はこの操作を禁止し、この旨を図４の電話機選択画面中に注意４４として表示するのが望ましい。【００３２】
また、上記で電話機名称メモリ１３１Ａ、１３１Ｂの記憶内容は初期値として携帯電話機３１の型式名称などを設定するとしたが、後にそれぞれを使用者が好みの愛称に変更操作できるようにしておいても良い。【００３３】
上記で詳細に説明したように、本発明によれば同一の電話番号を割当てられた複数の携帯電話機を必要に応じて簡単な操作により切り換えて使用することができる。また、携帯電話機３３は電話番号Ｙとは異なる電話番号Ｚを割当てられているので、上記したどの手順中においても無関係に発呼、着呼、及び別の制御動作などを行うことができる。【００３４】
なお、本発明は上記実施例に限定されるものではない。【００３５】
上記の説明では、制御フラグメモリ１３１Ｇ、１３２Ｇの記憶内容のうち、稼動状態となっているいずれか片方に該当する携帯電話機３１、３２のうちの一台だけが発呼及び着呼が可能であり、他は発呼及び着呼が禁止されるとしたが、制御フラグメモリ１３１Ｇ、１３２Ｇの状態にかかわらず携帯電話機３１又は携帯電話機３２のいずれか片方からの発呼を可能としてもよい。この場合、携帯電話機３１又は携帯電話機３２の発呼要求を制御機能１１が検知したら、制御機能１１は制御フラグメモリ１３１Ｇ、１３２Ｇの記憶内容が稼動又は休止のいずれを示していても交換機能１２による通話相手への発呼を許可し、通話が確定した時点で上記図３の制御フラグ設定フローチャートで説明した手順で制御フラグメモリ１３１Ｇ、１３２Ｇの記憶内容の設定を行うと共に、通話中フラグメモリ１３１Ｗ、１３２Ｗの両方の記憶内容を通話状態に設定し、この状態を通話が終了するまで保持し、通話が終了した時点で非通話状態に設定する。制御機能１１は通話中フラグメモリ１３１Ｗ，１３２Ｗの記憶内容が非通話状態である場合にだけこれに対応する携帯電話機３１、３２が発呼、着呼、及び図３で説明した制御フラグ設定フローチャートの手順を行うことを許可することにより、携帯電話機３１、３２のうちの一台が通話している間、同一の電話番号Ｙを割当てられた他のすべての携帯電話機は発呼、着呼、及び図３で説明した制御フラグ設定フローチャートの手順を行うことができないので、同一の電話番号Ｙを割当てられた複数の電話機を必要に応じて切り換えて使用していることになる。【００３６】
また、電話番号Ｙに着呼した場合、制御フラグメモリ１３１Ｇ、１３２Ｇの状態にかかわらず携帯電話機３１、３２のいずれか片方だけに接続して通話を可能とすることができる。この場合、交換機能１２から電話番号Ｙへの着呼要求を制御機能１１が検知したら、制御機能１１は電話機情報データベース１３内を検索して電話番号Ｙを割当てられたすべての電話機である携帯電話機３１、３２を検知し、これらの電話機情報メモリ１３１Ｔ、１３２Ｔの制御フラグメモリ１３１Ｇ、１３２Ｇの記憶内容が稼動又は休止のいずれを示していても電話番号Ｙを割当てられたすべての電話機である携帯電話機３１、３２を呼び出す。使用者がベル音、バイブレータ振動などにより携帯電話機３１、３２いずれか片方が呼び出しに応じた時点で、制御機能１１は交換機能１２に着呼を許可し、通話が確定した時点で上記図３の制御フラグ設定フローチャートで説明した手順で制御フラグメモリ１３１Ｇ、１３２Ｇの記憶内容の設定を行うと共に、通話中フラグメモリ１３１Ｗ、１３２Ｗの両方の記憶内容を通話状態に設定し、この状態を通話が終了するまで保持し、通話が終了した時点で非通話状態にする。このようにすれば、携帯電話機３１、３２のうちの一台が通話している間、同一の電話番号Ｙを割当てられて他のすべての携帯電話機は発呼、着呼、及び図３で説明した制御フラグ設定フローチャートの手順を行うことができないので、同一の電話番号Ｙを割当てられた複数の電話機を必要に応じて切り換えて使用していることになる。【００３７】
更に、上記した制御フラグメモリ１３１Ｇ、１３２Ｇの状態にかかわらず携帯電話機３１、３２のいずれか片方だけに接続して通話を可能とする場合、携帯電話機３１、３２の発呼による通話開始、又は着呼による通話開始が同一の電話機を使い続けるか、又は同一の電話番号を有する他の電話機に切り換えて使用するかを使用者の操作を全く必要とせずに自動的に切り換えるので、これらの場合、図３の制御フラグの設定手順は省略することができる。【００３８】
なお、上記した例や場合では電話機情報データベース１３には電話機情報メモリ１３１Ｔ〜１３３Ｔの３台で、その内の２台が同一の電話番号Ｙを付与されているとしたが、これらの数はそれぞれそれ以上の数でも良いのは言うまでもない。【００３９】
本明細書で引用したすべての刊行物、特許及び特許出願をそのまま参考として本明細書にとり入れるものとする。
【図１】
2008075437.tif 000003
【図２】
2008075437.tif 000004
【図３】
2008075437.tif 000005
【図４】
2008075437.tif 000006
【国際調査報告】
2008075437.tif 000007
2008075437.tif 000008
2008075437.tif 000009
2008075437.tif 000010
2008075437.tif 000011
2008075437.tif 000012